(57)【特許請求の範囲】
【請求項１】
受話器と、その受話器が載置される受け台と、その受け台に設置され前記受話器が載置されることにより押下されるフックボタンとを有するファクシミリ装置において、
前記フックボタンに取り付けられた第１アクチュエータと、
前記フックボタンが押下されたときに前記第１アクチュエータにより変位される第２アクチュエータと、
前記第２アクチュエータの前記第１アクチュエータによる変位を検知するセンサスイッチと、
前記センサスイッチによる前記第２アクチュエータの変位の検知に基づいて、通信回線の開放または閉結を実行する制御手段とを備え、
前記受け台と前記フックボタンと前記第１アクチュエータとを装置本体に一体に脱着可能なユニットとして構成したことを特徴とするファクシミリ装置。
【発明の詳細な説明】
【０００１】
【産業上の利用分野】
本発明はファクシミリ装置に関し、更に詳細には、受話器受け台のフックボタンと制御基板上のフックスイッチとの連結部分の構造を改良したファクシミリ装置に関する。
【０００２】
【従来の技術】
従来のファクシミリ装置においては、受話器の受け台に、受話器が置かれているか否かにより作動するフックボタンを設け、このフックボタンの動きにより制御回路において通信回線の開閉切換を行うようにしている。ここで制御回路とフックボタンとの接続手段として、フックボタン自体にスイッチを設けて制御基板に電気的に接続する方法を採用したものがある。この場合にはスイッチと制御基板との間をワイヤハーネスで連結することとなる。
【０００３】
あるいは、スイッチは制御基板上に実装し、フックボタンに連結したレバーの機械的な動きによりこのスイッチを動作させるようにしたものもある。この場合には、制御基板上に例えば反射型光センサのようなセンサを設け、このセンサによりアクチュエータたるレバーの位置を検知してフックボタンの状態を識別するようにしている。
【０００４】
【発明が解決しようとする課題】
しかし、ファクシミリ装置は、紙送り機構や用紙カセット等を内蔵する関係で電話機と異なり装置サイズが大きく、受話器の受け台の近くに制御基板を置くことが困難であることから、次のような問題点があった。
【０００５】
即ち、電気的に接続した場合には、制御基板からフックスイッチまで長いワイヤハーネスを要し、その引き回しが煩雑であった。更にファクシミリ装置では製造工程上、受話器受け台の部分とそれ以外の本体部分とを別々に組み立ててこれらを組み付けることができれば好都合であるが、組み付け前にワイヤハーネスを接続させる必要があるためこのような製造方法は困難であった。また、修理等のために分解する際にも、受け台自体の取り外しの他にワイヤハーネスの結線の取り外しを要していた。
【０００６】
一方機械的なレバーによって接続した場合には、長いレバーを要することから装置全体のレイアウトの自由度を制限する要因となっていた。またこの場合にも、組み付け時に長いレバーを本体部分の深い位置へ差込む必要があるため、作業が困難なだけでなく組付位置精度が悪くなりがちであった。組付位置精度が悪いとセンサが狙い通りに作動せず、通信回線の開閉切換に支障を来すのである。
【０００７】
本発明は従来技術のかかる問題点を解消するためになされたものであり、受話器受け台側と本体側とにそれぞれアクチュエータを設けて制御基板上のスイッチを作動させるようにすることにより、ワイヤハーネスの引き回しや長いレバーを不要として、装置レイアウトの自由度を向上し、受話器受け台と本体との組み付け及び取り外しを容易にし、その組付位置精度の向上をも図ったファクシミリ装置を提供することを目的とするものである。
【０００８】
【課題を解決するための手段】
この目的を達成するため本発明のファクシミリ装置は、受話器と、その受話器が載置される受け台と、その受け台に設置され前記受話器が載置されることにより押下されるフックボタンとを有するファクシミリ装置において、前記フックボタンに取り付けられた第１アクチュエータと、前記フックボタンが押下されたときに前記第１アクチュエータにより変位される第２アクチュエータと、前記第２アクチュエータの前記第１アクチュエータによる変位を検知するセンサスイッチと、前記センサスイッチによる前記第２アクチュエータの変位の検知に基づいて、通信回線の開放または閉結を実行する制御手段とを備え、前記受け台と前記フックボタンと前記第１アクチュエータとを装置本体に一体に脱着可能なユニットとして構成したことをその要旨とする。
【０００９】
【作用】
かかる構成を有する本発明のファクシミリ装置では、受話器を受け台に置くとフックボタンが押下され、このため第１アクチュエータにより第２アクチュエータが変位される。このときセンサスイッチがこの第２アクチュエータの変位を検知し、このため制御手段が通信回線を開放する。この状態がいわゆるスタンバイ状態であり、着信が可能な状態である。受話器を受け台から上げるとフックボタンの押下状態が解除され、このため第２アクチュエータが変位され、制御手段により通信回線が閉結される。即ち電話としての発信が可能な状態とする。そして、受け台とフックボタンと第１アクチュエータとをユニットとして構成すれば、このユニットを一体としてファクシミリ装置に脱着することができる。
【００１０】
【実施例】
以下、本発明に係るファクシミリ装置を、添付図面に示す実施例に即して詳細に説明する。
【００１１】
図１に主要部分の断面図で示すファクシミリ装置１は、外板２３により外形をなす本体２２の上面に受け台ユニット１３を配し、下部に制御部２１を有している。
【００１２】
受け台ユニット１３は、下カバー２と上カバー３とを有している。上カバー３は、受話器５０を載置するものでありそのための凹部３ａ、３ｂが形成されている。そして凹部３ａには、後述するフックボタン５が突出するための孔４が設けられている。そして下カバー２は、上カバー３の下方を覆って受け台ユニット１３の下部外形を画するものである。この下カバー２には、フックボタン５等を搭載するための中板６が一体的に成形されており、この中板６は下カバー２と上カバー３とにより画される受け台ユニット１３の内部に位置する。また下カバー２には、後述する第１アクチュエータ８を下方に突出させるための孔７が設けられている。
【００１３】
中板６にはボタン軸９とバネ受け部１０とが設けられており、このボタン軸９に回動可能にフックボタン５が取り付けられている。そしてフックボタン５の裏面とバネ受け部１０との間に圧縮バネ１１が挟持されており、フックボタン５を中板６から離間する向きに付勢している。このためフックボタン５は、受話器５０を持ち上げた状態では圧縮バネ１１の付勢により、上カバー３の孔４から外部に突出している。ただし、この付勢力が受話器５０の重さより小さくなるように圧縮バネ１１のバネ定数が定められている。
【００１４】
フックボタン５の下部には、レバー形状の第１アクチュエータ８が一体成形されている。第１アクチュエータ８は、フックボタン５の下方に延設されその先端８ａは下カバー２の孔７から装置本体内部に向けて突出している。第１アクチュエータ８はフックボタン５と一体であるため、フックボタン５が動くと先端８ａもボタン軸９を中心に回動することとなる。
【００１５】
かかる受け台ユニット１３は、組み立てた状態では１つのユニットとして本体２２の上面への脱着が可能である。
【００１６】
本体２２の外板２３の下面の一部には凸部２３ａが設けられており、そしてこの凸部２３ａの部分をも覆う底板２４が取り付けられている。凸部２３ａと底板２４との間のスペースには制御基板１５が保持され、制御部２１をなしている。制御基板１５上には、集積回路その他種々の素子が配置されファクシミリ装置１における送受信、紙送り、印刷等の諸機能を司る制御回路が形成されている。
【００１７】
その素子の１つとして、反射型光センサ１６がある。反射型光センサ１６は発光器と受光器とを有しており、発光器からの光を受光器に向けて反射する物体が近くに存在するか否かを検知するものである。この反射型光センサ１６からの信号のオンオフにより受話器が置かれているか外されているかを検知し、制御基板１５上の制御回路において通信回線の開閉切換を行うようになっている。即ち、受話器が置かれ反射光が検知されておらず信号がオフであるときには通信回線を開放し、受話器が外され信号がオンであるときには閉結するようにされている。即ち、反射型光センサ１６は通信回線の開閉のための切換スイッチとしての役割を有しており、制御基板１５上の制御回路の機能の１つとして通信回線の開閉の切換機能がある。
【００１８】
外板２３の凸部２３ａの一部には窓１７と、その窓１７を横断するレバー軸１８とが設けられている。そしてこのレバー軸１８を中心として回動可能にレバー形状の第２アクチュエータ１９が取り付けられている。第２アクチュエータ１９は、そのほぼ中央においてレバー軸１８に取り付けられ、制御部２１の内部側と受け台ユニット１３に近接する側とにアームが延びている。
【００１９】
受け台ユニット１３に近接する側の先端１９ａは、第１アクチュエータ８の先端８ａに近接して位置している。そして、フックボタン５と一体の第１アクチュエータ８がボタン軸９を中心に回動すると先端８ａが先端１９ａに当接して第２アクチュエータ１９がレバー軸１８を中心に回動するようになっている。制御部２１の内部側の先端１９ｂは、第１アクチュエータ８の先端８ａが先端１９ａに当接していないときには制御基板１５に当接して反射型光センサ１６に近接し信号をオンさせ、先端８ａが先端１９ａに当接したときには制御基板１５及び反射型光センサ１６から離間して信号をオフさせるような位置に設けられている。
【００２０】
ファクシミリ装置１はこの他、公知の紙送り機構、印刷機構や用紙カセット、キーパネル等を有している。
【００２１】
次に、ファクシミリ装置１の動作を説明する。
【００２２】
まず、受話器５０が受け台ユニット１３に置かれている場合を説明する。この場合には受話器５０の重さによりフックボタン５が圧縮バネ１１の付勢に抗して押し下げられる。このためフックボタン５及びこれと一体の第１アクチュエータ８がボタン軸９の周りに図中反時計回り向きに回動し、第１アクチュエータ８の先端８ａが第２アクチュエータ１９の先端１９ａに当接する。
【００２３】
これにより第２アクチュエータがレバー軸１８を中心に図中時計回り向きに回動し、先端１９ｂが反射型光センサ１６から離間する。従って反射型光センサ１６において発光器からの光を受光器に向けて反射するものがないため、その出力信号はオフとなり、制御基板１５上の制御回路がこれを検知してファクシミリ装置１は通信回線を開放してスタンバイ状態となる。即ちこのスタンバイ状態は、電話、ファクシミリとしての回線からの呼び出しを待機する状態である。この状態を図２に示す。
【００２４】
尚、この受話器５０が載置されている状態でも、回線からの呼び出しが検知された場合や、ユーザーが書類送信の操作をしたときは、受信又は送信を行うため、受話器５０が載置されたまま制御基板１５上の制御回路により自動的に通信回線が閉じられることとなる。この場合には受信又は送信後に自動的に通信回線が開放されスタンバイ状態に戻る。
【００２５】
ユーザーが受話器５０を受け台ユニット１３から持ち上げた場合には、受話器５０の重さがフックボタン５に掛からないので、フックボタン５は圧縮バネ１１の付勢により孔４から突出する。このときフックボタン５及びこれと一体の第１アクチュエータ８がボタン軸９の周りに図中時計回り向きに回動し、第１アクチュエータ８の先端８ａが第２アクチュエータ１９の先端１９ａを押す状態が解除される。このため第２アクチュエータ１９は、自重によりレバー軸１８を中心に図中反時計回り向きに回動し、先端１９ｂが制御基板１５に当接して停止する。
【００２６】
このとき先端１９ｂが反射型光センサ１６にごく近接しているので、反射型光センサ１６の発光器からの光が先端１９ｂにより反射されて受光器に入光し、出力信号はオンとなる。このため制御基板１５上の制御回路がこれを検知してファクシミリ装置１は通信回線を閉結して電話モードとなる。即ちこの状態では、電話としての発信が可能である。この状態は図１に示されている。
【００２７】
以上詳細に説明したように本実施例に係るファクシミリ装置１では、受け台ユニット１３にフックボタン５と一体の第１アクチュエータ８を設け、本体２２には反射型光センサ１６のオンオフを行わせる第２アクチュエータ１９を設け、これらの連携により受話器５０の状況を反射型光センサ１６に伝達して受話器５０の置き外しを検知し、通信回線の開閉切換を行うようにしたので、制御基板１５上に切換スイッチである反射型光センサ１６を直接実装することができ、制御基板１５と受け台ユニット１３との間にワイヤハーネスを引き回す必要がない。また、制御部２１と受け台ユニット１３とを長いリンケージで結ぶ必要もない。このため、各種機構のレイアウト上の自由度が大きく設計しやすいファクシミリ装置１が実現されている。
【００２８】
またこれにより、受け台ユニット１３を本体２２に一体脱着可能なユニットとすることが可能となっており、受け台ユニット１３と本体２２とのそれぞれの組立、及びこれらの組付けがしやすくなっている。また修理等のための受け台ユニット１３の本体２２からの取り外し作業も同様に簡単になっている。
【００２９】
また、反射型光センサ１６に直接アクセスする第２アクチュエータ１９がフックボタン５と独立しており、受け台ユニット１３とは別個に本体２２への取付ができるので、取付位置精度が高く反射型光センサ１６を確実にオンオフさせることができ、受話器５０の置き外しの検知が良好である。
【００３０】
尚、本発明はこの実施例に限定されるものではなく、本発明の要旨を逸脱しない範囲内で種々の改良、変形が可能であることは勿論である。
【００３１】
例えば前記実施例において、第２アクチュエータ１９の先端１９ｂの位置を検知するセンサスイッチとして反射型光センサ１６を用いたが、これに替えて透過型光センサを用いてもよく、また光センサ以外の他のセンサを用いてもよい。また、受話器５０を受け台ユニット１３から上げたときにフックボタン５を突出させる圧縮バネ１１を設けたが、フックボタン５が自重で突出するような形状として圧縮バネ１１を省いてもよい。
【００３２】
また、第１アクチュエータとフックボタン５とを一体成型品としたが、別部品としてビス止め等により固定させて一体として機能するようにしたものでもよい。また、受話器５０を上げ第１アクチュエータ８が第２アクチュエータ１９から離間したときに、第２アクチュエータ１９が自重で制御基板１５に当接するように動くこととしたが、バネ等の付勢手段を設けてもよい。
【００３３】
【発明の効果】
以上説明した通り本発明によれば、受話器受け台側と本体側とにそれぞれアクチュエータを設けて制御基板上に装着したスイッチを作動させるようにしたので、ワイヤハーネスの引き回しや長いレバーが不要となり、装置レイアウトの自由度が向上され、受話器受け台と本体との組み付け及び取り外しを容易にし、アクチュエータの組付位置精度も向上した優れたファクシミリ装置が提供されている。
【図面の簡単な説明】
【図１】  本発明のファクシミリ装置の主要部分を示す断面図である。
【図２】  ファクシミリ装置の受話器を置いた状態を示す図である。
【符号の説明】
３    上カバー
５    フックボタン
８    第１アクチュエータ
１１  圧縮バネ
１３  受け台ユニット
１６  反射型光センサ
１９  第２アクチュエータ
５０  受話器
【図１】
0003731222.tif 000002
【図２】
0003731222.tif 000003